(57)【要約】主光源１２は、白色ＬＥＤにより構成され、ＬＥＤチップ１２ｃ、レジン１２ｒ、及びパッケージ１２ｐを含む。ＬＥＤチップ１２ｃは、例えば青色ＬＥＤによりより構成され、青色光Ｌ＿ｂを放射する。レジン１２ｒは、青色光Ｌ＿ｂで励起され、蛍光ＬＦ＿ｙを放射する粉末状の蛍光物質を含む。また、レジン１２ｒは青色光Ｌ＿ｂを拡散して発光域Ｓから放射する。副光源２２は、紫色ＬＥＤにより構成され、紫色光Ｌ＿ｖを発光域Ｓに放射する。レジン１２ｒは、紫色光Ｌ＿ｖを拡散反射する。
2011142123.tif 000002
【特許請求の範囲】
【請求項１】
所定の発光域から光を放射する主光源と、
前記主光源の分光分布とは異なる分光分布をもち、前記発光域を照明する１つ以上の副光源とを備え、
前記発光域は、前記副光源から放射された光を反射させる光源。
【請求項２】
前記発光域は、前記主光源から放射された光を拡散放射し、かつ、前記副光源から放射された光を拡散反射する請求項１記載の光源。
【請求項３】
前記主光源は、白色LED（Ｌｉｇｈｔ  Ｅｍｉｔｔｉｎｇ  Ｄｉｏｄｅ）であり、
前記副光源は、少なくとも１つが紫色ＬＥＤである請求項１記載の光源。
【請求項４】
前記主光源は、白色ＬＥＤであり、
前記副光源は、少なくとも１つがＵＶＬＥＤ（Ultra  Violet  Light  Emitting  Diode）である請求項１記載の光源。
【請求項５】
請求項１記載の光源と、
前記主光源から放射される光と、前記発光域で反射される前記副光源から放射された光との合成光を、入射光として試料面を照明する光学系とを備える照明光学系。
【請求項６】
前記発光域は、試料面の中心を通る法線上に配置され、
前記光学系は、前記合成光の少なくとも一部を入射光として、前記法線から４５°の方向で全方位又は複数の方位から前記試料面の中心を照明する請求項５記載の照明光学系。
【請求項７】
請求項５記載の照明光学系と、
前記試料面から反射された光を受光する受光光学系とを備える反射特性測定装置。
【発明の詳細な説明】
【技術分野】
【０００１】
本発明は、光源、その光源を備える照明光学系、及びその照明光学系を備える反射特性測定装置に関するものである。
【背景技術】
【０００２】
図６は、特許文献１に記載された照明光学系２の構成図である。白色ＬＥＤ２１は、光軸２８上に配置されたランベルト配光の光源である。凹面鏡２２及びトロイダル鏡２３は、白色ＬＥＤ２１からの放射光を、光軸２８から４５度の方向で全方位から試料面２４へと導く。対物レンズ２５は、試料面２４の反射光の法線方向の成分を、光学ファイバー２６の入射端に収束させる。光学ファイバー２６は、入射光を図略の分光手段へと導く。【０００３】
このようにして、照明光学系２は、白色ＬＥＤ２１の放射光による試料面２４の傾きや表面性状の影響を受けにくい４５°ａ：０°ジオメトリの照明光学系として構成されている。【０００４】
白色ＬＥＤ２１は４００−４３０ｎｍの短波長帯において殆ど強度をもたない。これを補うべく、照明光学系２は、トロイダル鏡２３の上流に配置された紫色ＬＥＤ２７を備えている。この紫色ＬＥＤ２７の放射光は、トロイダル鏡２３によって、試料面２４の法線から４５度の方向で一方位から試料面２４へと導かれる。【０００５】
このように、照明光学系２は、紫色ＬＥＤ２７を備えているが、この紫色ＬＥＤ２７は、一方位で試料面２４を照明している。そのため、照明光学系２は、短波長帯において、試料面２４の傾きや表面性状の影響を受けやすい４５°ｘ：０°ジオメトリを構成することになる。【０００６】
したがって、この照明光学系２では、試料面２４の傾きや表面性状の影響が波長帯によって異なってしまう。また、この照明光学系２では、試料面２４の位置が変化した場合の影響も波長帯によって異なってしまう。【０００７】
よって、この照明光学系２では、分光手段の出力から求められる試料の分光反射特性の測定誤差が波長帯によって異なってしまう。このような波長依存性のある測定誤差は、分光反射特性から色差位置を算出した際に増幅され、大きな色彩値誤差が生じてしまう。【０００８】
さらに、この照明光学系２は、一部の規格が要求する４５°ａ：０°あるいは４５°ｃ：０°ジオメトリを厳密には満たしていない。また、紫色ＬＥＤ２７が白色ＬＥＤ２１の光束中に配置されているため、構成が複雑になる。更に、紫色ＬＥＤ２７は、試料面２４の中心よりも右側に配置されているため、紫色ＬＥＤ２７による照明について、試料面２４内の右側の照度が高くなり、試料面２４内で大きな照度分布の差が生じるという問題もある。
【先行技術文献】
【特許文献】
【０００９】
【特許文献１】特開２０１０−６０５２５号公報
【発明の概要】
【００１０】
本発明の目的は、照明光学系の構成を複雑化することなく全波長帯において十分な強度を持ち、試料面までの距離変動による照度変化の波長帯ごとのばらつきを抑制することができる光源、その光源を備える照明光学系、及びその照明光学系を備える反射特性測定装置を提供することである。
【００１１】
本発明の一局面による光源は、所定の発光域から光を放射する主光源と、前記主光源の分光分布とは異なる分光分布をもち、前記発光域を照明する１つ以上の副光源とを備え、前記発光域は、前記副光源から放射された光を反射させる。
【００１２】
本発明の別の一局面による照明光学系は、上記の光源と、前記主光源から放射される光と、前記発光域で反射される前記副光源から放射された光との合成光を、入射光として試料面を照明する光学系とを備える。
【００１３】
本発明の更に別の一局面による反射特性測定装置は、上記の照明光学系と、前記試料面から反射された光を受光する受光光学系とを備える。
【図面の簡単な説明】
【００１４】
【図１】本発明の実施の形態１による反射特性測定装置の構成図である。
【図２】図１に示す光源の構成図である。
【図３】光源から放射される光の分光分布である。
【図４】本発明の実施の形態２における光源の構成図である。
【図５】図４に示す光源から放射される光の分光分布である。
【図６】特許文献１に記載された照明光学系の構成図である。
【発明を実施するための形態】
【００１５】
（実施の形態１）
図１は、本発明の実施の形態１による反射特性測定装置の構成図であり、（Ａ）は側面視からの構成図であり、（Ｂ）は上面視からの平面鏡３の配置であり、（Ｃ）は１つの平面鏡３に注目した場合の構成図である。
【００１６】
この反射特性測定装置は、試料面１、光源２、平面鏡３、反射鏡４、受光光学系５、及び分光部６を備えている。なお、光源２及び平面鏡３により照明光学系が構成される。試料面１は、平面状であり、色サンプルが印刷された印刷物等の試料が配置される。光源２は、発光域Ｓ（図２参照）から光を放射する主光源１２、及び主光源の分光分布とは異なる分光分布をもち、発光域Ｓを照明する副光源２２を備えている。図２は、光源２の構成図である。
【００１７】
主光源１２は、例えば白色ＬＥＤにより構成され、ＬＥＤチップ１２ｃ、レジン１２ｒ、及びパッケージ１２ｐを含む。ＬＥＤチップ１２ｃは、例えば青色ＬＥＤによりより構成され、青色光Ｌ＿ｂ（図３参照）を放射する。本実施の形態では、ＬＥＤチップ１２ｃは、例えば４５０ｎｍを中心とする半値幅２０ｎｍ程度の青色光Ｌ＿ｂを放射する。
【００１８】
レジン１２ｒは、ＬＥＤチップ１２ｃの表面に塗布され、粉末状の蛍光物質を含む。そして、レジン１２ｒは、青色光Ｌ＿ｂで励起され、６００ｎｍを中心とする半値幅１５０ｎｍ程度の蛍光ＬＦ＿ｙ（図３参照）を放射する。また、レジン１２ｒは青色光Ｌ＿ｂを拡散させて発光域Ｓから放射させる。なお、符号、Ｌ＿ｂ，ＬＦ＿ｙは図２では図示を省略している。
【００１９】
つまり、主光源１２は、青色光Ｌ＿ｂと、この青色光Ｌ＿ｂで励起される蛍光ＬＦ＿ｙとからなる白色光ＬＷ（図３参照）を放射する白色ＬＥＤにより構成されている。パッケージ１２ｐは、透明の部材から構成され、内部にＬＥＤチップ１２ｃが配置されている。
【００２０】
副光源２２は、主光源１２の発光域Ｓに対向して設けられた、例えば紫色ＬＥＤにより構成され、発光域Ｓに向けて紫色光Ｌ＿ｖを放射して、発光域Ｓを照明する。この紫色光Ｌ＿ｖは、レジン１２ｒに含まれる蛍光物質により拡散反射され、配光２２ｄの拡散紫色光ＬＤ＿ｖ（図３参照）となって、発光域Ｓから再放射される。
【００２１】
また、青色光Ｌ＿ｂ及び蛍光ＬＦ＿ｙは共にレジン１２ｒから拡散放射される。そのため、発光域Ｓからは、配光１２ｄを持つ白色光ＬＷが放射される。
【００２２】
また、紫色光Ｌ＿ｖもレジン１２ｒにより拡散反射される。そのため、発光域Ｓからは、配光２２ｄを持つ拡散紫色光ＬＤ＿ｖが放射される。
【００２３】
なお、散乱性を上げるという観点から、レジン１２ｒとしては、酸化チタン粉末等を添加することが好ましい。
【００２４】
図３は、光源２から放射される光の分光分布であり、縦軸は相対強度を示し、横軸は波長（ｎｍ）を示している。図３に示すように光源２からは、主に、青色光Ｌ＿ｂ及び蛍光ＬＦ＿ｙを含む白色光ＬＷと、拡散紫色光ＬＤ＿ｖとが放射されている。拡散紫色光ＬＤ＿ｖは、白色光ＬＷではカバーされていない、４３０ｎｍ以下の波長帯の光である。なお、ＬＦ＿ｖは、紫色光Ｌ＿ｖによって励起されたレジン１２ｒの紫色蛍光である。これにより、光源２から放射される放射光の分光分布は可視光の全波長帯（４００−７００ｎｍ）をカバーする。また、図２の配光１２ｆは、白色光ＬＷと、紫色光Ｌ＿ｖによる拡散紫色光ＬＤ＿ｖとの合算光の配光である。
【００２５】
図１（Ａ）に戻り、平面鏡３は、試料面１と光源２との間に法線１ｎを対称軸として軸対称に複数配置されている（図１（Ｂ））。なお、試料面１を全方位から照射する場合は、複数の平面鏡３に代えて、リング状の鏡を採用すればよい。
【００２６】
平面鏡３は、光源２から放射される白色光ＬＷ及び拡散紫色光ＬＤ＿ｖの配光の異なる全てのφ＝４５°−δの光束成分を反射して、θ＝４５°で試料を照明するので、法線１ｎに対する角度φ（＝４５°−δ）の光束成分２ａを反射し、反射した光束成分２ａが法線１ｎに対してθ（＝４５°）の角度で試料面１の中心Ｏに導かれるように法線３ｎに対して所定の角度δ／２傾斜されて配置されている。なお、法線３ｎは、平面鏡３の中心Ｏ３を通る試料面１の法線である。
【００２７】
具体的には、図１（Ｃ）に示すように、平面鏡３は、その反射面３ａによる光源２の光源像２´を通る試料面１の法線２ｎに対して、光源像２´の配光主軸２´ｘが所定のオフセット角δだけ傾くように配置されている。
【００２８】
ここで、オフセット角δは、配光主軸２´ｘに対して４５°−δの角度における配光主軸への偏りが最大となる配光２ｄ＿ｍａｘの配光変化率が、ランベルト配光の配光主軸に対して４５°の角度における配光変化率に実質的に等しくなるような所定の角度に設定されている。
【００２９】
これにより、照明光学系と試料面１との間の距離変動に対して中心Ｏでの照度の変化が最小となるように、中心Ｏに対して複数の方位から光束成分２ａが導かれることになる。これにより、４５°ｃ：０°ジオメトリ（ｃ：ｃｉｒｃｕｍｆｅｒｅｎｔｉａｌ）の照明光学系が実現されることになる。
【００３０】
反射鏡４は、法線１ｎ上であって、光源２と中心Ｏとの間の所定の位置に配置され、試料面１の反射光の法線成分１ａの光路をほぼ９０°変更する。反射光は受光光学系５を経て分光部６に入射し分光特性が測定され、図略の演算処理部に出力される。演算処理部は、分光部６により測定された分光特性から、公知の方法を用いて試料面１の分光反射率係数及び色彩値を求める。
【００３１】
図２に示す光源２では、白色光ＬＷ及び拡散紫色光ＬＤ＿ｖは、共にレジン１２ｒにより拡散放射される光であるため、配光１２ｄと、拡散紫色光ＬＤ＿ｖの配光２２ｄとは、近似し、ランベルト配光に近いのでオフセット角δは０に近くなる。
【００３２】
このように、光源２からは、可視光の全波長帯の光がレジン１２ｒから拡散放射されているため、可視光の全波長帯において配光を近似させることができる。そのため、光源２を図１に示すように配置した場合、可視光の全波長帯の光について照明光学系と試料面１との間の距離変動による照度変化のバラツキを抑制することができる。そして、配光１２ｄ、２２ｄのどちらかにおいて、照明光学系と試料面１との間の距離変動に伴う光束成分２ａの中心Ｏでの照度変化が最小となるように、オフセット角δを設定すれば、可視光の全波長帯の光束について照度変化を最小にすることができる。
【００３３】
また、１つの光源２を用いて４５°ｃ：０°ジオメトリが構成されているため、高効率化かつ低コストな反射特性測定装置を提供することができる。
【００３４】
なお、上記では、白色ＬＥＤにおいて、青色光Ｌ＿ｂと蛍光ＬＦ＿ｙとの配光の差を無視して白色光ＬＷの配光１２ｄとし、白色光ＬＷ及び拡散紫色光ＬＤ＿ｖの配光が近似しているとしたが、これらの配光が異なる場合、配光主軸への偏りが最大の配光について設定したオフセット角δで平面鏡３を配置すればよい。これにより、可視光の全ての波長帯に亘って、光源２及び試料面１間の距離変動に対する中心Ｏ３での照度変化を最小にすることができる。これは、以下の２点で説明される。
【００３５】
（１）実際に設定したオフセット角δが、各配光の最適なオフセット角δに近い場合、どの配光においても、配光主軸に対する角度φ（＝４５°−δ）での配光変化率は、ランベルト配光の配光主軸に対する角度が４５度の配光変化率に近似するため、問題はない。しかしながら、実際に設定したオフセット角δが、ある配光の最適なオフセット角δから外れた場合、その配光の配光主軸に対する角度φでの配光変化率と、ランベルト配光の配光主軸に対する角度が４５°の配光変化率との乖離は、配光主軸への偏りが大きい配光ほど大きくなる。
【００３６】
（２）実際に設定したオフセット角δが、ある配光Ｐ１（φ）の最適なオフセット角δ＿ｏｐ１よりも小さい場合（δ＜δ＿ｏｐ１）、配光Ｐ１（φ）の配光主軸に対する角度φ（＝４５°−δ）は大きくなる。また、光源２に対して設定したオフセット角δが配光Ｐ１（φ）の最適なオフセット角δ＿ｏｐ１よりも大きい場合（δ＞δ＿ｏｐ１）、配光Ｐ１（φ）の配光主軸に対する角度φは小さくなる。
【００３７】
配光Ｐ１（φ）の配光変化率ｄＰ１／ｄφは、角度φが大きくなるにつれて増大する傾向にある。したがって、光源２に対して設定したオフセット角δが、配光Ｐ１（φ）の最適なオフセット角δ＿ｏｐ１より小さいと、配光Ｐ１（φ）の配光主軸に対する角度φが大きくなるため、配光Ｐ１（φ）の配光変化率ｄＰ１／ｄφが、ランベルト配光ＰＬ（θ＝４５°）での配光変化率ｄＰＬ／ｄθから大きく乖離する。
【００３８】
一方、実際に設定したオフセット角δが配光Ｐ１（φ）の最適なオフセット角δ＿ｏｐ１より大きいと、配光主軸に対する角度φが小さくなるため、配光Ｐ１（φ）の配光変化率ｄＰ１／ｄφがランベルト配光ＰＬ（θ＝４５°）の配光変化率ｄＰＬ／ｄθから大きく乖離しない。
【００３９】
複数の配光の中で、配光主軸への偏りが最も大きい配光ＰＸ（φ）の最適なオフセット角δ＿ｏｐｘは最も大きい。そのため、光源２のオフセット角δをδ＿ｏｐｘに設定すると、他の配光ＰＹ（φ）の配光主軸に対する角度φは、配光ＰＹ（φ）に対して最適なオフセット角δ＿ｏｐｙを設定した場合の配光主軸に対する角度φ＿ｙよりも小さくなる。
【００４０】
そのため、複数の配光のうち、配光主軸への偏りが最も大きい配光ＰＸ（Ｘ）の最適なオフセット角δ＿ｏｐｘで実際のオフセット角δを設定することが好ましい。
【００４１】
（実施の形態２）
実施の形態２による反射特性測定装置は、副光源の個数を２つにしたことを特徴としている。図４は、本発明の実施の形態２における光源２の構成図である。図４に示すように、光源２は、主光源１２及び副光源２２に加えて、更に副光源３２を備えている。なお、本実施の形態において実施の形態１と同一のものは同一の符号を付し、説明を省略する。
【００４２】
副光源３２は、副光源２２に隣接し、かつ、発光域Ｓに対向して設けられた、例えば、紫外光Ｌ＿ｕｖを放射するＵＶＬＥＤにより構成され、発光域Ｓに向けて紫外光Ｌ＿ｕｖを放射して、発光域Ｓを照明する。この紫外光Ｌ＿ｕｖは、レジン１２ｒに含まれる蛍光物質により拡散反射され拡散紫外光ＬＤ＿ｕｖとなって、発光域Ｓから再放射される。つまり、本実施の形態では、紫色光Ｌ＿ｖ及び紫外光Ｌ＿ｕｖが、拡散紫色光ＬＤ＿ｖ及び拡散紫外光ＬＤ＿ｕｖになって発光域Ｓから再放射される。
【００４３】
したがって、発光域Ｓからは、配光１２ｄを持つ白色光ＬＷ、及び配光２２ｄを持つ拡散紫色光ＬＤ＿ｖに加えて、更に、配光３２ｄを持つ拡散紫外光ＬＤ＿ｕｖが放射される。なお、蛍光ＬＦ＿ｖは紫色光Ｌ＿ｖによって、蛍光ＬＦ＿ｕｖは紫外光Ｌ＿ｕｖによって励起されたレジン１２ｒの蛍光である。また、図４の配光４２ｆは、白色光ＬＷと、紫色光Ｌ＿ｖによる蛍光ＬＦ＿ｖと、紫外光Ｌ＿ｕｖによる蛍光ＬＦ＿ｕｖとの合算光の配光である。
【００４４】
図５は、光源２から放射される光の分光分布を示し、縦軸は相対強度を示し、横軸は波長（ｎｍ）を示している。図５に示すように主光源１２から放射される光には、主に、白色光ＬＷ、拡散紫色光ＬＤ＿ｖ、及び拡散紫外光ＬＤ＿ｕｖが含まれていることが分かる。
【００４５】
これにより、光源２から放射される光の分光分布は可視光の全波長帯（４００−７００ｎｍ）をカバーするとともに、拡散紫外光ＬＤ＿ｕｖが放射されているため、蛍光増白試料の測定が可能になる。
【００４６】
また、図４に示す光源２では、白色光ＬＷ、拡散紫色光ＬＤ＿ｖ、及び拡散紫外光ＬＤ＿ｕｖはレジン１２ｒから拡散放射されているため、それぞれの配光を近似させることができる。そのため、可視光の全波長帯の光について照明光学系と試料面１と間の距離変動による照度変化のバラツキを抑制することができる。したがって、この光源を図１の照明光学系の光源とする場合、ある１つの配光について、最適なオフセット角δを設定すれば、可視光の全波長帯の光について照度変化を最小にすることができる。
【００４７】
ここで、主光源１２、副光源２２，３２は、同時に点灯されるが、ＵＶＬＥＤにより構成される副光源３２のＯＮ／ＯＦＦを制御し、副光源を間欠駆動すれば、特開２００６−２９２５１０号公報に示すように蛍光増白試料の測定が可能になる。
【００４８】
なお、実施の形態２では、副光源の個数を２つとしたが、本発明はこれに限定されず、３つ、４つ、５つ等の３つ以上にしてもよい。また、実施の形態２では、副光源３２をＵＶＬＥＤにより構成したが、これに限定されず、赤色ＬＥＤ、青色ＬＥＤ等のＬＥＤにより構成してもよいし、赤外光を放射する赤外ＬＥＤにより構成してもよい。
【００４９】
また、図２或いは図４の光源２を図６の照明光学系の光源２１に置き換えても良い。これにより、紫色ＬＥＤ２７を除去できるので、簡単な構成で全方位から照明する４５°ａ／０°ジオメトリが実現できる。
【００５０】
また、実施の形態１及び２では、主光源における発光域をレジンとしたが、所定の蛍光体分散させて焼結した蛍光体分散ガラスや、更に所定の大きさの気泡をある密度で含有させて光の分散の均一性を向上させた蛍光体分散ガラスであってもよい。
【００５１】
上記の実施の形態による技術的特徴をまとめると下記のようになる。
【００５２】
（１）上記の光源は、所定の発光域から光を放射する主光源と、前記主光源の分光分布とは異なる分光分布をもち、前記発光域を照明する１つ以上の副光源とを備え、前記発光域は、前記副光源から放射された光を反射させる。
【００５３】
この構成によれば、主光源の発光域からは、主光源が放射する光と、副光源が放射した光の反射光とが放射される。そのため、主光源の発光域は、主光源の光及び副光源の光の両分光分布を合わせた分光分布をもつ光を放射する点光源として機能する。したがって、この光源によれば、可視光の全波長帯をカバーすることができる点光源を実現することができる。
【００５４】
そして、この光源の発光域は１つの点光源として機能するため、特許文献１に示すように、一方の光源の光路上に他の光源を配置する必要がなく、照明光学系の構成を簡便にすることができる。また、この光源は、発光域が１つの点光源として機能するため、特許文献１のように光源を全く異なる位置に設ける構成に比べ、試料面と光源との間の距離が変動したときの照度変化の波長帯ごとのバラツキを抑制することがきる。
【００５５】
（２）前記発光域は、前記主光源から放射された光を拡散放射し、かつ、前記副光源から放射された光を拡散反射することが好ましい。
【００５６】
この構成によれば、主光源から放射された光と副光源から放射された光とが、ともに発光域から拡散放射されるため、両光源から放射された光の配光を近似させて、発光域から放射させることができる。そのため、例えばこの光源を照明光学系に適用した場合、照明光学系と試料面との間の距離変動による照度変化の抑制効果に配光依存性があっても、その影響を受けにくく、各配光の照度変化のバラツキを抑制することができる。
【００５７】
（３）前記主光源は、白色ＬＥＤであり、前記副光源は、少なくとも１つが紫色ＬＥＤであることが好ましい。
【００５８】
この構成によれば、４００−７００ｎｍの可視域をカバーする照明光学系を構成でき、試料面の色彩値を精度よく測定できる。
【００５９】
（４）前記主光源は、白色ＬＥＤであり、前記副光源は、少なくとも１つがＵＶＬＥＤ（Ultra  Violet  Light  Emitting  Diode）であることが好ましい。
【００６０】
この構成によれば、発光域からはＵＶ光が放射されるため、ＵＶ光によって励起される蛍光増白試料の測定が可能になる。また、ＵＶＬＥＤから放射された光は、白色ＬＥＤと同一の発光域から放射されるため、白色光とＵＶ光との配光が近似し、この光源を照明光学系の光源とした場合に、照明光学系と試料面との間の距離変動による照度変化の配光ごとのバラツキを抑制することができ、蛍光増白試料を高精度で測定することができる。
【００６１】
（５）上記の照明光学系は、上記の光源と、前記主光源から放射される光と、前記発光域で反射される前記副光源から放射された光との合成光を、入射光として試料面を照明する光学系とを備える。この構成によれば、上記の光源を備える照明光学系を提供することができる。
【００６２】
（６）前記発光域は、試料面の中心を通る法線上に配置され、前記光学系は、前記合成光の少なくとも一部を入射光として、前記法線から４５°の方向で全方位又は複数の方位から前記試料面の中心を照明することが好ましい。
【００６３】
この構成によれば、所望の波長帯をカバーする４５°ｃ：０°ジオメトリあるいは４５°ａ：０°ジオメトリの照明光学系を構成でき、低コスト、低消費電力、及び低発熱の照明光学系を提供することができる。
【００６４】
（７）上記の反射特性測定装置は、上記照明光学系と、前記試料面から反射された光を受光する受光光学系とを備える。
【００６５】
この構成によれば、上記の照明光学系を備える反射特性測定装置を提供することができる。
【図１】
2011142123.tif 000003
【図２】
2011142123.tif 000004
【図３】
2011142123.tif 000005
【図４】
2011142123.tif 000006
【図５】
2011142123.tif 000007
【図６】
2011142123.tif 000008
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
所定の発光域から光を放射する主光源と、
前記主光源の分光分布とは異なる分光分布をもち、前記発光域を照明する１つ以上の副光源とを備え、
前記発光域は、前記副光源から放射された光を反射させる光源。
【請求項２】
前記発光域は、前記主光源から放射された光を拡散放射し、かつ、前記副光源から放射された光を拡散反射する請求項１記載の光源。
【請求項３】
前記主光源は、白色LED（Ｌｉｇｈｔ  Ｅｍｉｔｔｉｎｇ  Ｄｉｏｄｅ）であり、
前記副光源は、少なくとも１つが紫色ＬＥＤである請求項１又は２記載の光源。
【請求項４】
前記主光源は、白色ＬＥＤであり、
前記副光源は、少なくとも１つがＵＶＬＥＤ（Ultra  Violet  Light  Emitting  Diode）である請求項１〜３のいずれかに記載の光源。
【請求項５】
請求項１〜４のいずれかに記載の光源と、
前記主光源から放射される光と、前記発光域で反射される前記副光源から放射された光との合成光を、入射光として試料面を照明する光学系とを備える照明光学系。
【請求項６】
前記発光域は、試料面の中心を通る法線上に配置され、
前記光学系は、前記合成光の少なくとも一部を入射光として、前記法線から４５°の方向で全方位又は複数の方位から前記試料面の中心を照明する請求項５記載の照明光学系。
【請求項７】
請求項５又は６記載の照明光学系と、
前記試料面から反射された光を受光する受光光学系とを備える反射特性測定装置。 
【国際調査報告】
2011142123.tif 000009
2011142123.tif 000010
2011142123.tif 000011